Podtech/llm-jp-corpus-v4-ja_patent huggingface dataset:
(57)【要約】【目的】れんげの持ち手が食材にて濡れるのを防ぎ、かつ、常に使用し易い位置に保持する。その様なれんげ、及び保持器具を提供することを、目的とする。【構成】れんげ及び保持器具には、相互に誘引する磁石及び金属チップを持ち、かつ保持器具には、容器との固定を行える構成となっている。【選択図】　　　　　　　図１
0003099933.tif 000002
【実用新案登録請求の範囲】
【請求項１】
麺類などを食する場合、麺やスープの残量に関わらず、れんげの持ち手が磁力等の力により、容器の淵に常に使用し易い位置にて、誘引保持されるような器具。
【請求項２】
誘引保持されたれんげに対し、外的な力が加わった場合においても、容器本体の安定に影響を与えることなく、誘引解除が円滑に行われる器具。
【考案の詳細な説明】
【０００１】
（産業上の利用分野）　この考案は、麺類用のれんげを、容器の淵に保持することに関する。
【０００２】
（従来の技術）　　　　従来のれんげは、麺を食する場合等、その持ち手がスープに浸かりそうな状態となり、不衛生に感じることが多く問題があった。
【０００３】
（考案が解決しようとする課題）
この考案は前記した問題点を解消する、れんげと保持器具を提供することを目的とする。
【０００４】
（課題を解決するための手段）
上記目的を達成する為、れんげの持ち手がスープにつからない様に、磁力等の力により誘引保持されることを特徴とする。又、れんげが容器本体の安定に影響を与えることなく、誘引解除が円滑に行われることを特徴とする。
【０００５】
（作用）　　　　　　　れんげの持ち手は、麺やスープが減少しても保持器具により容器の淵に保持されることで、食材で濡らすことなく、衛生的にれんげを使用することができる。又、れんげの持ち手に何らかの力がかかっても、保持器具に必要以上の保持力を持たせないことにより、食材容器本体の転倒原因となる様なこともない。
【０００６】
（実施例）　　　　　　図１は、れんげを容器に入れ、れんげ保持器具にて保持する状態を示したものである。１は保持器具に取り付けられた、れんげ保持を実行する磁石等の物体。２はれんげ本体。３はれんげに埋め込まれた金属チップ等の物体。４は容器本体。５はれんげ保持器具本体。６は保持器具本体を、容器に固定する為に取り付けられた、スプリング等の物体。７は保持器具の一端において、スプリング等の効果を伝える為に、支点の役割をはたす、シャフト及びガイドである。
麺類を食す場合には、３の金属チップの位置を見て、２のれんげ本体を、すでに４の容器に取り付けられている、５の保持器具本体の構成部品である、１の磁石等に誘引させる。その上で、れんげを必要とする場合には、誘引保持されたれんげを保持器具より外して使用し、その後、再度保持位置に戻すことができる。
【０００７】
（考案の効果）　　　　この考案は、れんげの持ち手が食材にて濡れるのを防ぎ、れんげを衛生的に使用できる効果を有する。
【図面の簡単な説明】
【図１】れんげ及びれんげ保持器具の、容器に取り付けされた作動説明斜視図。
【符号の説明】
１．磁石等の保持部品
２．れんげ本体
３．金属チップ等保持部品
４．麺類容器本体
５．れんげ保持器具本体
６．スプリング等部品
７．シャフト・ガイド部品
【図１】
0003099933.tif 000003
【手続補正書】
【提出日】平成15年2月28日(2003.2.28)
【手続補正１】
【補正対象書類名】明細書
【補正対象項目名】実用新案登録請求の範囲
【補正方法】変更
【補正の内容】
【実用新案登録請求の範囲】
【請求項１】
容器にスプリング等によって固定される保持具本体に、れんげに埋め込まれた金属チップを、誘引保持するための磁石を取り付けたことを特徴とする、れんげ持ち手位置保持具。
【請求項２】
誘引保持されたれんげに対し外的な力が加わった場合において、容器本体の安定に影響を与えることなく誘引解除ができるように、磁石の接触面をれんげの大きさに対し変化させることを特徴とする、れんげ持ち手位置保持具。
【手続補正書】
【提出日】平成15年3月20日(2003.3.20)
【手続補正１】
【補正対象書類名】明細書
【補正対象項目名】実用新案登録請求の範囲
【補正方法】変更
【補正の内容】
【実用新案登録請求の範囲】
【請求項１】
容器にスプリング等によって固定される保持具本体に、れんげに埋め込まれた金属チップを、誘引保持するための磁石を取り付けたことを特徴とする、れんげ持ち手位置保持具。
【請求項２】
誘引保持されたれんげに対し外的な力が加わった場合において、容器本体の安定に影響を与えることなく誘引解除ができるように、磁石の接触面をれんげの大きさに対し変化させることを特徴とする、れんげ持ち手位置保持具。
【手続補正書】
【提出日】平成15年6月25日(2003.6.25)
【手続補正１】
【補正対象書類名】明細書
【補正対象項目名】請求項２
【補正方法】変更
【補正の内容】
【請求項２】
誘引保持されたれんげに対し、外的な力が加わった場合においても、容器全体の安定に影響を与えることなく、誘引解除が円滑に行われることを特徴とする、請求項１記載のれんげ持ち手位置保持具。
(57)【要約】　　　（修正有）【課題】むかで型意匠の木製幼児用室内遊戯娯楽用品において，床面に接する底面にボール型キャスターの付いた木製胴体を連結して，引いたりして動かした時に「むかで」のような動きする。【解決手段】この用品は，床面に接する底面にボール型キャスター５を付けている。引いて動かした時に昆虫の「むかで」のような動きをする遊戯娯楽用品。頭部１と複数の胴体部２と尻部３とこれらを連結する装置とでなり，この連結装置は両側の固定板とこの固定板を連結する装置より成る。【選択図】図３
0003099939.tif 000002
【実用新案登録請求の範囲】
【請求項１】
この用品は，床面に接する底面にボール型キャスターを付けている。引いて動かした時に昆虫の「むかで」のような動きをする遊戯娯楽用品。頭部と複数の胴体部と尻部とこれらを連結する装置とでなり，この連結装置は両側の固定板とこの固定板を連結する装置より成る「むかで」型の遊戯娯楽用品。
【考案の詳細な説明】
【技術分野】
【０００１】
　幼児用遊戯娯楽用品やおもちゃが該当する。
【背景技術】
【０００２】
　従来より知られている種々のおもちゃに例えれば，複数の車両を連結した玩具が知られている。（例えば特許文献１）また人形の間接をピンで連結したものも知られている。（例えば特許文献２）
【特許文献１】実開平６−４４５９６
【特許文献２】登録実用新案第３０５８１４０号しかし，特許文献１のものは連結車両の動きが先頭車両の軌道をたどり「むかで」のように連結部が自由に蛇行する動きにならない。また，速いスピードに対応できず復元力も弱い。また，特許文献２のものは可動自在な連結をおこなっているが荷重のかかった牽引には適さない。
【考案の開示】
【考案が解決しようとする課題】
【０００３】
　そこでこの考案はこれらの欠点を除き，「むかで」のようにくねくねとやわらかく動き，蛇行するために新しい機能を有する「木製むかで型意匠の遊戯娯楽用品」を提供するものである。
【課題を解決するための手段】
【０００４】
　上記目的を達成するために本考案は，床面に接する底面にボール型キャスターを付けている。引いて動かした時に昆虫の「むかで」のような動きをする遊戯娯楽用品。頭部と複数の胴体部と尻部とこれらを連結する装置とでなり，この連結装置は両側の固定板とこの固定板を連結する装置より成る「むかで」型の遊戯娯楽用品を提供するものである。
【考案の効果】
【０００５】
　本考案は，上述のとおり構成されているので，むかで型意匠の木製室内遊戯娯楽用品を牽引したりして動かした時に，「むかで」のような動きをする。また，幼児が乗ったうえで牽引しても同様な動きをする。
【考案を実施するための最良の形態】
【０００６】
　図３及び図４のように本考案装置でむかで型意匠の木製頭部，胴体，尻部を連結する。木材はパイン材がのぞましい。バネ装置を装備したむかで型意匠の木製幼児用室内遊戯娯楽用品は，全長１９４５ｍｍ，幅５４６ｍｍ，高さ２５２ｍｍである。ほどよい曲がりと復元力，引張力に耐えて変形バネ装置を開発した。機械構造用炭素鋼で製作。バネ直径６２ｍｍ，負荷なし自由長さ８０ｍｍ，コイル直径６ｍｍ，総巻数１５である。木材部へはボルト取付。取付部は一般構造用圧延鋼材使用。部材の接続は溶接である。
【実施例】
【０００７】
　本考案装置を用いて，底面にボールキャスターが４個付いている木製の「むかで」頭部，底面にボールキャスターが４個付いている胴体４〜５個，底面にボールキャスターが４個付いている尻部をボルトで固定する。頭部には牽引用ロープが付いている。
【図面の簡単な説明】
【０００８】
【図１】連結バネ部の正面図である。
【図２】取付部の図面である。
【図３】木製幼児用室内遊戯娯楽用品に装置を設置した状態の正面図。
【図４】木製幼児用室内遊戯娯楽用品に装置を設置した状態の平面図。
【符号の説明】
【０００９】
　１　頭部
　２　胴体部
　３　尻部
　４　連結装置
　５　ボールキャスター
　６　スプリング
　７　スプリング固定板
【図１】
0003099939.tif 000003
【図２】
0003099939.tif 000004
【図３】
0003099939.tif 000005
【図４】
0003099939.tif 000006
【手続補正書】
【提出日】平成15年10月8日(2003.10.8)
【手続補正１】
【補正対象書類名】実用新案登録請求の範囲
【補正対象項目名】全文
【補正方法】変更
【補正の内容】
【実用新案登録請求の範囲】
【請求項１】
むかで型の遊戯娯楽用品において，
（１）頭部と複数の胴体部と尻部とこれらを連結する装置とでなる。
（２）頭部，胴体部及び尻部の床面に接する底面には，ボール型キャスターが設けられている。
（３）連結装置は両側の固定板とこの固定板を連結する装置よりなる。
以上からなるむかで型遊戯娯楽用品。
【手続補正２】
【補正対象書類名】明細書
【補正対象項目名】０００４
【補正方法】変更
【補正の内容】
【０００４】
　この考案は，むかで型の遊戯娯楽用品において，
（１）頭部と複数の胴体部と尻部とこれらを連結する装置とでなる。
（２）頭部，胴体部及び尻部の床面に接する底面には，ボール型キャスターが設けられている。
（３）連結装置は両側の固定板とこの固定板を連結する装置よりなる。
以上からなるむかで型遊戯娯楽用品。を提供するものである。
(57)【要約】　　　（修正有）【課題】限られた場所だけでなく、カバンの手にも、ベルトにも、ポケットにも又はどこにもかけることが出来るワッパにもなり、あらゆるところに設置出来、オシャレなブローチもかねた「いつものところにあるペン」を提供する。【解決手段】キャップ２をふた１にはめる。キャップのふた１とキャップ２の部分はゴムやシリコンにし、厚い布や薄い布などにも適用できるようにする。キャップのふた１の外部にブローチを設置し男性用女性用にする。【選択図】図１
0003099934.tif 000002
【実用新案登録請求の範囲】
【請求項１】
ビール瓶の栓のふたと中のコルクの仕組みを応用した飾り付きキャップにゴム紐をつけ、カバンの手やベルトに筆記用具をつなぐ器具。
【請求項２】
キャップの中の素材はゴム、シリコンしと外はブローチ式の飾りとし、筆記用具を止める内側はねばりのあるひっつく素材を使用する。
【考案の詳細な説明】
【０００１】
【考案の属する技術分野】
いつも必要とする筆記用具において、仕事中手から離して置くと、次に使う時必ずどこに置いたか忘れてしまうので探してばかりいる。いつもあるところに必ずあれば便利であり安心であると思った。
【０００２】
【従来の技術】
従来のひもは一つのワッパになっていたり、又はかぎられた一部分をはさむ器具なので厚みにより取り付けられるところがかぎられていた。カバンの手や、ベルト、などに設置することはできなかった。
【０００３】
【考案が解決しようとする課題】
限られた場所だけでなく、カバンの手にも、ベルトにも、ポケットにも又はどこにもかけることも出来るワッパにもなり、あらゆるところに設置出来、オシャレなブローチもかねた「いつものところにあるペン」が必要と考えた。
【０００４】
【課題を解決するための手段】
図２の５の部分を作ったことで、どこの場所にも取り付け可能になった。
【０００５】
【考案の実地の形態】
１と２の部分はゴムやシリコンなどにし、厚い布や薄い布などにも適用できるようにした。１の外部に飾りブローチを設置し男性用女性用にする。３と５の部分はゴムなど伸び縮み可能な素材とする。６の部分は外側は固めで動く素材とし内側はシリコンよりも柔らかく粘着力のある素材を使用する。
【０００６】
【考案の効果】
あらゆるところに設置することが出来、いつも必要なところにあるペンはいそがしい社会に大変ありがたい。なくすことがなく安心は大きい。
【図面の簡単な説明】
【図１】ポケットやカバンの手などと、筆記用具をつないだ図
【図２】いつもあるペンの器具の全体図
【図３】１のキャップの外側の飾り
【符号の説明】
１　　キャップのふた
２　　布をはさんで１にはめるきゃっぶ
３　　ゴムひも
４　　ポケット
５　　この部分へベルトをはさんだり、カバンの手をはさんだりする
６　　外側は弾力のある固めの素材とし内側に粘着の強いガムのような素材をつける
【図１】
0003099934.tif 000003
【図２】
0003099934.tif 000004
【図３】
0003099934.tif 000005
【手続補正書】
【提出日】平成15年6月8日(2003.6.8)
【手続補正４】
【補正対象書類名】明細書
【補正対象項目名】実用新案登録請求の範囲
【補正方法】変更
【補正の内容】
【実用新案登録請求の範囲】
【請求項１】
ビール瓶の栓のふたと中のコルクの仕組みを応用した飾りつきキャップにゴム紐をつけた筆記用具をつなぐ器具
【請求項２】
ふたの外側の部分は色々なキャラクターの形とし、キャップの中の部分は、ゴム・シリコンなどすべらない素材とするものなり。
【手続補正書】
【提出日】平成15年8月26日(2003.8.26)
【手続補正１】
【補正対象書類名】明細書
【補正対象項目名】実用新案登録請求の範囲
【補正方法】変更
【補正の内容】
【実用新案登録請求の範囲】
【請求項１】
ビール瓶の栓のふたと中のコルクの仕組を応用した飾りつきキャップにゴム紐をつけた筆記用具をつなぐ器具。
【請求項２】
ふたの外側の部分は色々なキャラクターの形とし、キャップの中の部分は、ゴム、シリコンなど、すべらない素材とする請求項１記載の筆記用具をつなぐ器具。
(57)【要約】【課題】携帯電話機の使用時に、両手を自由にする。【解決手段】携帯電話機に耳かけ用ひもを、付けて耳に固定し両手を使えるようにした。【選択図】　　図３
0003099936.tif 000002
【実用新案登録請求の範囲】
【請求項１】
携帯電話機に、耳に掛けるための、ひも１を付ける。
【請求項２】
収納時、携帯電話機２に固定され、又、耳に掛けた時に耳に合う形になる。
【考案の詳細な説明】
【０００１】
【考案が解決しようとする課題】
固定電話機では、通話中に肩とほおの間に受話器を、挟むと両手が自由になる。その結果、物を探す、メモをとるが楽に出来る。しかし、携帯電話機は小さいために、上記の行動作業が出来ない。
【０００２】
【課題を解決するための手段】
上記作業を、可能にするために、ひも１を取り付けて、耳に掛けられるよう図３にした。。不要の時は、携帯電話機２に、ひも１をかけておく。
【０００３】
【考案の効果】
耳に固定したことで、両手が使え、資料を探す、メモをとる等の応対が迅速に出来る。
【図面の簡単な説明】
【図１】携帯電話機に、耳かけ用ひもを付けた斜視図である。
【図２】耳かけ用ひもを、収納した斜視図である。
【図３】携帯電話機を耳かけ用ひもを、使って耳に掛けた側面図である。
【符号の説明】
１　耳かけ用ひも
２　携帯電話機
【図１】
0003099936.tif 000003
【図２】
0003099936.tif 000004
【図３】
0003099936.tif 000005
【手続補正書】
【提出日】平成15年9月24日(2003.9.24)
【手続補正１】
【補正対象書類名】明細書
【補正対象項目名】実用新案登録請求の範囲
【補正方法】変更
【補正の内容】
【実用新案登録請求の範囲】
【請求項１】
携帯電話機２にとりつけた、耳に掛けるためのひも１。
【請求項２】
収納時は携帯電話機２に固定され、耳に掛けたときは耳に合う形になることを特徴とする、請求項１に記載のひも。
(57)【要約】　　　（修正有）【課題】首振り装置をなくして３６０°に送風する扇風機の提供。【解決手段】羽根２の前方に反風板４を設け、羽根を水平方向に回転させることにより、反風板に吹きつける風を３６０°に連続送風することを特徴とする扇風機。【選択図】図１
0003099931.tif 000002
【実用新案登録請求の範囲】
【請求項１】
羽根を床面にむけて回すことにより風が３６０°にいきわたり首振り装置が不要となる。
【考案の詳細な説明】
【０００１】考案の属する技術分野
本考案は３６０°に風を送ることができる扇風機に関するものである。
【０００２】従来の技術
首振り装置があり首振り角度しか風がこない。
【０００３】考案が解決しようとする課題
首振り装置をなくして３６０°に送風する。
【０００４】課題を解決するための手段
本考案は羽根を上下にむけることにより３６０°に送風することができる、よって首振り装置は不要となる。
【図面の簡単な説明】
【図１】本考案の正面図
【図２】本考案を上からみた図
【符号の説明】
１　モーター
２　羽根
３　支柱わく
４　反風板
５　切替えスイッチ
【図１】
0003099931.tif 000003
【図２】
0003099931.tif 000004
【手続補正書】
【提出日】平成15年2月6日(2003.2.6)
【手続補正１】
【補正対象書類名】明細書
【補正対象項目名】実用新案登録請求の範囲
【補正方法】変更
【補正の内容】
【実用新案登録請求の範囲】
【請求項１】
３６０°に送風できることを特徴とする扇風機
【手続補正書】
【提出日】平成15年5月26日(2003.5.26)
【手続補正１】
【補正対象書類名】明細書
【補正対象項目名】実用新案登録請求の範囲
【補正方法】変更
【補正の内容】
【実用新案登録請求の範囲】
【請求項１】
首振り装置をなくし、図面のような形状にして羽根の前方に反風板を設け、羽根を上又は下に向けて回し反風板に吹きつける風を３６０°に連続送風することを特徴とする扇風機。
【手続補正書】
【提出日】平成15年9月12日(2003.9.12)
【手続補正１】
【補正対象書類名】明細書
【補正対象項目名】実用新案登録請求の範囲
【補正方法】変更
【補正の内容】
【実用新案登録請求の範囲】
【請求項１】
羽根の前方に反風板を設け、羽根を水平方向に回転させることにより、反風板に吹きつける風を３６０°に連続送風することを特徴とする扇風機
(57)【要約】
【課題】本考案は、スケジュール等を管理し易いように常に３ヶ月分の日付けを表示できるカレンダー。
【解決手段】本考案は、日付け表示部分を２組のロール状にし、１組目は１月から６月、２組目は７月から１２月と２組のロール式カレンダーを回転、切り離して組み合わせることで常に当月と先の２ヶ月を同時に表示させることが可能である。
【選択図】図３
0003099940.tif 000002
【実用新案登録請求の範囲】
【請求項１】
通常使用されている一般的カレンダーと違い、常に見えている部分を３ヶ月分とし、ロール状の２組をセットにすることで１ロール目を６ヶ月単位、２ロール目と合わせて１組１２ヶ月単位として使用する。各ロールを回転させ、カットして組み合わせることで、どの月においてもその月以降の３ヶ月分の予定が一目でわかる便利なロール式カレンダー。
【考案の詳細な説明】
【技術分野】
【０００１】本考案は、日付表示部分をロール状にし、１ロール目に１月、２月、３月、４月、５月、６月、２ロール目に７月、８月、９月、１０月、１１月、１２月分を入れた、２ロール組１セットで使用するカレンダーに関するものである。
【背景技術】
【０００２】一般的日常、また特に仕事上のスケジュールにおいて、通常の月めくりカレンダーでは、翌月、翌々月のスケジュール確認の際、１枚、２枚とめくって確認していたものを、一目で３ヶ月分のスケジュール調整が可能となるカレンダーである。
【考案が解決しようとする課題】
【０００３】従来の月めくりカレンダーでは、翌月、翌々月のスケジュール確認が困難であった。さらに仕事上において先のスケジュールを即答できない場合、少なからず相手に不快感を与えている場合がある。従って、常に３ヶ月表示することによりスムーズなスケジュール確認が可能となる。また、２組をロール状に回転させていくので、月めくりタイプと違い、紙の節約にもなる。
【課題を解決するための手段】
【０００４】本考案は、日付け表示印刷部分の用紙を接着してロール状にし、１月から６月、７月から１２月と２組のロール式カレンダーを回転させ、また切り離したりの組み合わせをすることで常に当月と先の２ヶ月を同時に表示させることが可能になる。
【考案の効果】
【０００５】上述の様に、本考案のロール式カレンダーは通常の月めくりタイプ、２ヶ月同時表示タイプと異なり、２組のロール式カレンダーを回転、切り離して組み合わせることで常に当月と先の２ヶ月を同時に表示させることが可能。また、ロール状に回転させていくので不必要になった月部分を捨てる作業が少なく、紙の節約にもなる。
【考案の実施するための最良の形態】
【０００６】１月は完成形態で使用し、２月から４月までは前半部を回転させ使用する。５月、６月は前半部を回転、切り離して後半部と組み合わせて使用し、７月から１２月までは後半部のみを回転させ使用する。
【実施例】
【０００７】以下、添付図面に従って実施例を説明する。図１の１、２は紙製品等による年月日の印刷面、３はプラスチック等によるカレンダーの止め具（差し込みタイプ）である。１．２を図２のように２組のロール式カレンダーを接合部で接着する。この時、各月日の順番は図２に準じる。図３のように１ａ、２ａを３の止め具に差し込んで完成である。【０００８】１月から４月までは図４のように３から１ａをはずし、回転させ各月日を表示する。５月、６月は図５、図６のように点線部分の切れ目で切り取る。７月からは２ａのみを用いて表示する。７月時、１２月時の形態としては図７となる。
【図面の簡単な説明】
【０００９】
【図１】　　本考案のロール式カレンダーの全部品である。
【図２】　　月日印刷面を２組のロール状にした形態と配置順序。
【図３】　　完成形態
【図４】　　２月時表示方法
【図５】　　５月時表示方法
【図６】　　６月時表示方法
【図７】　　７、８、９月または１０、１１、１２月時表示方法
【符号の説明】
【００１０】１　　月日印刷面（１月から６月）
１ａ　月日印刷面（１月から６月）をロール状に接着したもの。
２　　月日印刷面（７月から１２月）
２ａ　月日印刷面（７月から１２月）をロール状に接着したもの。
３　　止め具（差し込みタイプ）
【図１】
0003099940.tif 000003
【図２】
0003099940.tif 000004
【図３】
0003099940.tif 000005
【図４】
0003099940.tif 000006
【図５】
0003099940.tif 000007
【図６】
0003099940.tif 000008
【図７】
0003099940.tif 000009
【手続補正書】
【提出日】平成15年9月25日(2003.9.25)
【手続補正１】
【補正対象書類名】実用新案登録請求の範囲
【補正対象項目名】全文
【補正方法】変更
【補正の内容】
【実用新案登録請求の範囲】
【請求項１】
請求項１において、
（１）長方形の用紙に６ヶ月分の日付けを印字し、各月ごとに切り離しができるようミシン目を入れ、両端を貼り合わせ、ロール状にする。
（２）ロール状の印刷物２組１セットで１年分とし、各月を回転、切り離しといった組み合わせをすることで、常に３ヶ月分の日付けを表示し、スピーディーにスケジュールの確認・管理を特徴とする。
以上からなるロール式カレンダー。
【手続補正２】
【補正対象書類名】図面
【補正対象項目名】図３
【補正方法】変更
【補正の内容】
【図３】
0003099940.tif 000010
(57)【要約】
【課題】　長時間の着用でも着崩れを考慮する必要のない、浴衣を提供する。
【解決手段】　前部に重合部を備えて体を包む浴衣本体部１１と、該浴衣本体部１１の首回りに縁端から所定幅の襟部１３が所定長さに亘って設けられた浴衣１０において、前記襟部１３には、芯片１４を装着する収納部１５が首回りの襟部１３に沿って設けられ、前記収納部１５には屈曲可能で襟部１３に張りを持たせる芯片１４を装着しているようにした。
【選択図】　図１
0003099954.tif 000002
【実用新案登録請求の範囲】
【請求項１】
前部に重合部を備えて体を包む浴衣本体と、該浴衣本体部の首回りに縁端から所定幅の襟部が所定長さに亘って設けられた浴衣において、
　前記襟部には、芯片を装着する収納部が首回りの襟部に沿って設けられ、前記収納部には屈曲可能で襟部に張りを持たせる芯片を装着していることを特徴とする浴衣。
【請求項２】
前記収納部は前記襟部に沿って内側に設けられていることを特徴とする請求項１記載の浴衣。
【請求項３】
前記収納部は、同一の布が襟部の下布の内外を覆うように形成されていることを特徴とする請求項１又は２に記載の浴衣。
【請求項４】
前記収納部は袋状に形成されて襟部の内側又は外側に襟部１３に沿って取り付けられていることを特徴とする請求項１，２又は３に記載の浴衣。
【考案の詳細な説明】
【技術分野】
【０００１】
　本考案は、花火見物や祭りの外出用に着用する際の軽装着物として使用される浴衣に関するものである。
【背景技術】
【０００２】
　浴衣は帯を解けば、その左右の前面部を縦方向の全体に亘り左右に開放して、脱衣や着衣を容易に行うことができる。そのため、体の自由の効かない寝たきり老人用浴衣として使用され、または、患者等の介護用寝巻きとして使用されている。
【０００３】
　一方、浴衣は花火見物や祭りの外出用の軽装着物として健康な人にも一般的に広く使用されているが、浴衣は長時間着用すると着崩れし易い。そこで、着崩れしないように、襟の右半分におけるウエスト個所の外面に左前身頃におけるウエスト個所の内面に接する状態で右側滑止め部を設けたゆかた（例えば、特許文献１参照）が提案されている。
【特許文献１】実用新案登録第２５３６７９６号
【考案の開示】
【考案が解決しようとする課題】
【０００４】
　しかし、特許文献１記載のゆかたは滑止め部が表面に短い無数の剛毛を密生した布や多数個のゴム製粒群から成るシート状の滑止機能部材をゆかたに取り付けたものであり、使用されない状態では洗濯等のメンテナンスが難しく、人混みでぶつかって滑止め部が表面に露出すると体裁が悪く、改善が望まれていた。
【０００５】
　本考案は、長時間の着用でも着崩れを考慮する必要のない浴衣を提供することを目的とする。
【課題を解決するための手段】
【０００６】
　上記課題を解決するために請求項１記載の考案は、前部に重合部を備えて体を包む浴衣本体と、該浴衣本体部の首回りに縁端から所定幅の襟部が所定長さに亘って設けられた浴衣において、前記襟部には、芯片を装着する収納部が首回りの襟部に沿って設けられ、前記収納部には屈曲可能で襟部に張りを持たせる芯片を装着していることを特徴とする浴衣である。
【０００７】
　また、請求項２記載の考案は、前記収納部は前記襟部に沿って内側に設けられていることを特徴とする請求項１記載の浴衣である。
【０００８】
　また、請求項３記載の考案は、前記収納部は、同一の布が襟部の内外を覆うように形成されていることを特徴とする請求項１又は２に記載の浴衣である。
【０００９】
　また、請求項４記載の考案は、前記収納部は袋状に形成されて襟部の内側又は外側に襟部１３に沿って取り付けられていることを特徴とする請求項１，２又は３に記載の浴衣である。
【考案の効果】
【００１０】
　本考案の浴衣によれば、襟部に張りを持たせて襟部が型崩れしないようにしたので浴衣の着崩れが目立たず、長時間の着用でも着崩れを考慮する必要がなくなるという利点がある。
【考案を実施するための最良の形態】
【００１１】
　着崩れが目立つ浴衣の襟の部分に、屈曲可能で襟部に張りを持たせる芯片を装着したり、取り外したりできるように構成したから、浴衣が使用されない状態では芯片を取り外して、浴衣を普通に洗濯できるので、使用されない状態での浴衣のメンテナンスは従来どおりに行える。
【実施例】
【００１２】
　以下、実施例を示す図面に基づいて本考案を詳細に説明する。図１は本考案に係る浴衣の全体正面図、図２は図１のＡ−Ａ線での断面図、図３は図１のＢ−Ｂ線での断面図である。
【００１３】
　図１において、本願考案に係る浴衣１０は、前部に重合部を備えて体を包む浴衣本体部１１と、浴衣本体部１１の上部両側に袖部１２，１２を備え、浴衣本体部１１の首回りには、縁端から所定幅の襟部１３が所定長さに亘って設けられている。襟部１３の内側には、芯片１４を収納する収納部１５が浴衣本体部１１の首回りに襟部１３に沿って設けられている。また、収納部１５は、屈曲可能で襟部１３に張りを持たせるベルト状の芯片１４を装着している。
【００１４】
　浴衣本体部１１の首回りに近い襟部１３においては、前身頃１０ａの縁端から所定幅の内外を襟布１３ａが覆って襟部１３が形成され、また、襟部１３の襟布１３ａの内外を同一の収納部用布２３が、覆うように形成されて、襟部１３の襟布１３ａと収納部用布２３とにより収納部１５が形成されている。
【００１５】
　収納部１５の一端又は両端には開口１５ａが形成されており、芯片１４を開口１５ａから挿し込んだり、引き抜いたりして、浴衣１０の内側から首回りに収納して装着したり、引き抜いたりできるように形成されている。
【００１６】
　ベルト状の芯片１４は、セルロイド、樹脂、紙等、柔軟性があって硬質な素材で形成されている。上記の実施例では、収納部１５は首回りに近い襟部１３の襟布１３ａを同一の収納部用布２３が、襟部１３の内外（周囲）を覆うように形成されているものについて説明したが、収納部１５は、予め、一端又は両端には開口１５ａが形成された袋状に形成しておいて、首回りに近い襟部１３の内側又は外側（浴衣１０の外側でもよいが、できれば内側が望ましい）に襟部１３に沿って取り付けられていてもよい。
【産業上の利用可能性】
【００１７】
　本考案の浴衣は、襟部に張りを持たせる芯片を収納して装着するようにしたから、浴衣の襟の部分が型崩れしないので、長時間の着用でも着崩れを考慮する必要がない。そして、浴衣が使用されない状態では芯片を取り外しておけば、浴衣は普通に洗濯できるので、使用されない状態での浴衣のメンテナンスは普通の浴衣と同様に行える。
【図面の簡単な説明】
【００１８】
【図１】本考案に係る浴衣の全体正面図である。
【図２】図１のＡ−Ａ線での断面図である。
【図３】図１のＢ−Ｂ線での断面図である。
【符号の説明】
【００１９】
１０　浴衣
１０ａ　前身頃
１１　浴衣本体部
１２　袖部
１３　襟部
１３ａ　襟布
１４　芯片
１５　収納部
１５ａ　開口
２３　収納部用布
【図１】
0003099954.tif 000003
【図２】
0003099954.tif 000004
【図３】
0003099954.tif 000005
(57)【要約】　　　（修正有）【目的】形の異なる品物を簡単な方法で、定着収納することができる便利な容器を提供する。【構成】収納品を入れる引き出し部を収容するケース本体１と、引き出し板２に軟質板状の上蓋３を重ね合わせた引き出し部より構成されている。上蓋３の端部３ａは、引き出し板２の端部と接合し、上蓋３の端部３ｂは、リング状にして弾力性を持たせ上蓋３に接合されている。【選択図】　　図１
0003099236.tif 000002
【実用新案登録請求の範囲】
【請求項１】
　品物を入れる引き出し部を収容するケース本体と、引き出し板に軟質板状の上蓋を重ね合わせた引き出し部より構成され、上蓋の端部片方は引き出し板の端部と接合し、反対方向の端部は、リング状に曲げ、弾力性を持たせたことを特徴とする容器。
【考案の詳細な説明】
【考案の詳細な説明】
【産業上の利用分野】
【０００１】　この考案の容器は、比較的小型の大きさ厚みの異なった品物を、定着収納するのに適したものである。
【背景技術】
【０００２】　形状の異なる品物を、一種類の容器で収納する場合、そのままだと品物が容器内で移動し、破損、又は音を発生する。この場合、品物の形状に合わせて、スポンヂや綿等を用いて、品物が、容器内で移動しないよう空間を無くすようにしなければならない。【０００３】　形状の異なる品物を、容器内で移動しないように定着収納するためには、品物の形状に合わせた形の台を、それぞれ用意しなければならない。
【考案が解決しようとする課題】
【０００４】　形状の異なる品物を、容器内に定着収納する場合、様々な補助材を必要とし、用意しなければならない不便を生じる。又、品物の形状に適合した様々な、形の容器を用意しなくてはならない。この考案は、上記不便さを解決するため、簡単な方法を用いて満足することができる。
【課題を解決するための手段】
【０００５】　この考案に係る容器は、軟質板状の素材の特性を利用し、品物が容器内で移動しないようにする。その構造は、品物を入れる引き出し部を収容するケース本体と、引き出し板に軟質板状の上蓋を重ね合わせた引き出し部より構成され、上蓋の端部片方は、引き出し板の端部と接合し、反対方向の端部は、リング状に曲げ、弾力性を持たせたものである。
【作用】
【０００６】　引き出し部を、ケース本体より引き出して、上蓋と、引き出し板の間に、収納する品物を入れる。上蓋と引き出し板を重ね合わせ、元のケース本体に挿入する。上蓋は、薄い軟質板状であるため、品物の形状に合わせ、包み込むように接触するため、収納された品物は、移動することなく定着する。又、上蓋のリング状になっている先端は、弾力性があり、ケース本体の形状に合わせ、押しつぶされ、密着する。この作用により、引き出し部は、ケース本体に定着する。
【実施例】
【０００７】　図１は、この考案の実施例の平面、立面図である。図において１は、一側面が開口した、箱状のケース本体である。引き出し板２は、上蓋３と重ね合わされている。上蓋３の端部３ａは、引き出し板２の端部と接合され、端部３ｂはリング状に曲げて上蓋に接合されている。【０００８】　図２は、この考案で構成された容器の、作用説明図である。品物を容器に収納する場合、引き出し部をケース本体１より引き出し、引き出し部の上蓋３を、図２（ａ）に示すように、上に開き、引き出し版２と上蓋３の間に、収納品４を入れ、元のように引き出し板２と重ね合わせ、ケース本体１に挿入する。上蓋３は、軟質材料で薄い板状のもので作られているので、収納品４の形状に合わせて、包み込むよう接触するので、収納品４は、容器内で定着する。【０００９】　図２（ｂ）は、収納品４が容器内に収納された状態の、平面並びに立面図の断面を示したもので、上蓋３は収納品４を定着させる作用と、端部３ｂの弾力性のあるリング状の部分が、ケース本体１の形状に合うよう押しつぶされ密着し、引き出し部はケース本体１に定着する。上蓋３は、リング状端部３ｂの作用により、収納品４が、外に出たり移動しないように、定着作用をすると共に、引き出し部が、ケース本体１より、抜き出ないようにも作用をしている。
【考案の効果】
【００１０】　以上のようにこの考案は、引き出し部に上蓋３をかぶせることが特徴で、上蓋３が軟質板状の材質であるため、収納する品物の、巾、厚みに対応して接触するため、品物が移動せず定着する。従って、品物の形に合わせた台や、クッション材料等を用意すること無く、簡単に品物を、定着収納できる効果が得られる。
【図面の簡単な説明】
【００１１】
【図１】　この考案の実施例で、（ａ）はケース本体１の平面図と、立面断面図であり、（ｂ）は引き出し部の平面図と、立面図である。
【図２】　この考案の実施例の作用説明図である。（ａ）は収納品４を引き出し部に納める図で、（ｂ）は収納品４をケース本体１に収納した状態の、平面、立面図の断面図である。
【符号の説明】
【００１２】１　　ケース本体
２　　引き出し板
３　　上蓋
３ａ　端部（接合部）
３ｂ　端部（弾力部）
４　　収納品
【図１】
0003099236.tif 000003
【図２】
0003099236.tif 000004
(57)【要約】　　　（修正有）【課題】生産性をよくし、剥離を可能にする象嵌台紙を提供する。【解決手段】台紙ロに平滑剤βを塗布し、一辺ｘにおいて色紙等イに天のりし、一つのセットにする。【選択図】図１
0003099238.tif 000002
【実用新案登録請求の範囲】
【請求項１】
　図１のように、色紙などの層（イ）、平滑剤の層（β）、台紙の層（ロ）の三層構造を天のり（ｘ）によって一つのセットにした剥離用の象嵌台紙。
【考案の詳細な説明】
【考案の詳細な説明】
【技術分野】
【００１】　色紙等を紙に嵌め込む象嵌に関するものです。
【背景技術】
【００２】　色紙などに固体コロイド状になる接着剤を塗布して、台紙に手でのせて象嵌するので、生産性が悪く接着剤を使用するので象嵌画像は固定して剥離する用途に使用できない。
【考案が解決しようとする課題】
【００３】　象嵌作業ごとに色紙等を台紙に手でのせないですむようにし、剥離用途にも使用できるようにすること。
【課題を解決するための手段】
【００４】手で色紙等を台紙にのせるのは２つの機能があります。定位置機能とかす取りを容易にする機能です。図１の（イ）は色紙等、（ロ）は台紙、（イ）と（ロ）の一辺を（ｘ）として天のりします。これによって低位置機能をみたすことが出来ます。又、図２の（Ｅ）、（Ｆ）、（Ｇ）のように３個所は開放します。これによってカス取りを容易にする機能をみたすことが出来ます。そして剥離ができて一時的定着ができるようにするため台紙（ロ）の面（ａ）に平滑性をもたせる鉱物性の顔料（β）と塗布します。
【考案を実施するための最良の形態】
【００５】　天のりしてありますから、給紙装置に対応することができ、活版の全自動機での作業が可能になり、生産性がよくなる。又、色紙等象嵌版で切り抜くとき刃部の圧力が台紙に塗布してある平滑剤を破壊し、破壊された鉱物性の顔料が色紙等と台紙のそれぞれの空隙に食い付き、色紙などを台紙に定着させます。顔料と顔料の結合は弱いので台紙と色紙等を容易に剥離することができます。
【考案の効果】
【００６】　したがって、生産性もよく、なおかつ象嵌画像を容易に剥離することができます。
【図面の簡単な説明】
【図１】本考案の側面図
【図２】色紙等を台紙からめくった斜視図です。
【符号の説明】
（イ）は色紙等
（ロ）は台紙
（ｘ）は天のり
（Ｅ）は解放部
（Ｆ）は解放部
（Ｇ）は解放部
（ａ）は台紙の面
（β）は平滑剤
【図１】
0003099238.tif 000003
【図２】
0003099238.tif 000004
(57)【要約】　　　（修正有）【課題】　短い時間で片方の手が自由になり両方の手で包装容器の中身をあつかうことができて安全性がたかくなる包装容器を提供する。【解決手段】　包装容器本体に円形蓋を仮に取り付けられるように突起部を設けた。【選択図】図１
0003099237.tif 000002
【実用新案登録請求の範囲】
【請求項１】
　包装容器本体に突起部を設け　本体についている円形蓋を仮取り付けする箇所のある包装容器
【考案の詳細な説明】
【考案の詳細な説明】
　　［考案の属する技術分野］
【０００１】　この考案は　容器の円形蓋を　取り付けする突起部のある包装容器です　　［従来の技術］
【０００２】　従来の包装容器は蓋の置き箇所を設けた物がなかった　　［考案が解決しようとする課題］
【０００３】　本考案は　その欠点を除くための考案で　円形蓋の内径に合わせた大きさの突起部を設けたものです　　［課題を解決するための手段］
【０００４】　本考案は　蓋の内径に合わせた突起部を本体の包装容器に設けることにより　蓋を仮取り付けすることで片方の手を自由にできる包装容器です　　［考案の実施の形態］
【０００５】（イ）　この考案は　円形蓋の内経か内径に接点が２箇所以上ある突起部を設ける（ロ）　突起部の高さは接点のところで　４ｍｍ前後が良い低いと　円形蓋が取り付けずらいのと高いと　包装容器の中身が食品の時　衛生面の上でもよくない（ハ）　突起部は　包装容器に一つ設ければ目的ははたせますが　デザイン上多数有ってもさしつかえない（二）　突起部は　円形蓋の内経か内径に２箇所以上接点を設ければ　形は円形・三角形・星形・楕円形・小判型等　デザインを自由に作ることができる　　［考案の効果］
【０００６】　本考案により　これを使用する時は（あ）蓋を　探さないですむ（い）片方の手が自由に使えるようになる（う）今までと違ったデザインの包装容器が作れる（え）空容器を廃棄する時　容器内を蓋で密閉しなくても容器と蓋を一緒に廃棄できる以上のような効果があります
【図面の簡単な説明】
【図１】本考案の斜視図です
【図２】本考案の正面図で包装容器の肩あたりに楕円形で複数の突起部と円形蓋を仮取り付けした図で　点線は蓋の中の様子です
【図３】本考案の天面図で包装容器の肩あたりに四箇所楕円形の突起部と円形蓋を仮取り付けした図で　点線は蓋の中の様子です
【符号の説明】
　１　　包装容器の口　２　　円形蓋　３　　突起部（本図では楕円形を複数使用した）　４　　包装容器
【図１】
0003099237.tif 000003
【図２】
0003099237.tif 000004
【図３】
0003099237.tif 000005
(57)【要約】　　　（修正有）【課題】酒類容器の蓋を容易に開閉でき、何処でもすぐに神前にお供えすることの出来るお神酒入りの密閉容器を提供する。【解決手段】酒類容器の蓋１の、内周に内栓４を設け、内側にコルク３を取り付ける。蓋１の上部の外側円周に下部より少し張り出し部５を設ける。容器本体２の口の下部に蓋の下部が接するように張り出し部６を設け、蓋１と張り出し部６が密封構造になるお神酒入り密閉容器。【選択図】　図３
0003099239.tif 000002
【実用新案登録請求の範囲】
【請求項１】
酒類容器の蓋（１）の、内周に内栓（４）を設け、内側にコルク（３）を取り付ける。蓋（１）の上部の外側円周に下部より少し張り出し部（５）を設ける。容器本体（２）の口の下部に蓋の下部が接するように張り出し部（６）を設け、蓋（１）と張り出し部（６）が密封構造になるお神酒入り密閉容器。
【考案の詳細な説明】
【考案の詳細な説明】
【技術分野】
【０００１】神前にお酒を供える時、陶器のお神酒入れにお酒を移し替えて供えていたが移し替える手間不要で、プラスチック素材で蓋の内側にコルクが付けてありこぼれたり割れたりすることなく腐りにくく軽くて扱いやすく、そのままお供え出来るお神酒入り容器である。
【背景技術】
【０００２】日本の神様には、必ずお酒をお供えして拝む。神様専用の陶器の器があり、お酒を入れてお供えする。従来の容器の注ぎ口は、小さく狭くお酒の出し入れに時間が係っていた。中身が見えないのでどれだけ入ったか容量が分からずどんなに気をつけても溢れて毎回溢してしまう無駄があった。中は洗いにくい。酒瓶や紙パックのお酒を移し替えるのは重く、手間も時間も係り困難を極めていた。陶器なので落すと壊れるしお酒入りの容器は無かった。
【考案が解決しようとする課題】
【０００３】本考案は、上記の課題を解決するものである。家に祭っている神様はもとより神社、地鎮祭、祭礼等平坦な場所だけでなく高い場所や危険な場所に祭られている神様も多く在りお参りし、お酒をお供えしたい場合、今の陶器の容器では蓋が乗せてあるだけなので密封できないので壊れやすく中のお酒もこぼれるし持ち運びできないので困って供えることを断念したりカップ酒をお供えしたりする難点があった。これは信心する者にとっては心苦しいものである。この形態は何百年来変わることなく続けられてきたもので日本の八百万の神々を考える時その数は計り知れないものがあると思われます。この欠点を除くお酒入り専用容器は大変便利である。
【課題を解決する為の手段】
【０００４】従来のお神酒専用容器の材質をプラスチックに変えることによって軽くて持ち運びに便利なものにし、且コルク付きなのでこぼれず開閉は軽い力で出来る様蓋の上部に張り出し部を設けた。お酒入りなので入替えの手間が要らない。ただし材質はポリエチレンや他の樹脂であってもかまわない。
【考案を実施するための最良の形態】
【０００５】以下本考案の実施の形態について説明する。
１蓋　→内側にコルクがついている
２本体　→お酒入り密閉容器　形状は古来からの形を伝承していく意味でこの形に準じたもの。
【考案の効果】
【０００６】１．神前は高く不便なところが多いので持ち運びに不便　→　軽量で扱い易いので持ち運びに便利従来はお供え出来なかった神前にもそのままお供えすることが出来る。
１．従来の容器は陶器なので壊れると危険　→　軽くて壊れ難い。リサイクル出来る。
１．口が小さいのでお酒の出し入れに時間がかかる　→お酒入りなので入替え手間が要らない。
１．蓋の内側にコルクがついているのでお酒ゴミや雑菌の進入を防ぐ。
【図面の簡単な説明】
【図１】本考案品の酒類容器と蓋のセットの概観を示す正面図である。
【図２】本考案品の酒類容器と蓋のセットの一部断面正面図である。
【図３】本考案品の酒類容器と蓋のセットの一部拡大断面図である。
【図４】本考案品の蓋の平面図である。
【符号の説明】
　　　１．蓋
　　　２．本体
　　　３．コルク
　　　４．内栓
　　　５　蓋の外輪部
　　　６　本体の口の張り出し部
【図１】
0003099239.tif 000003
【図２】
0003099239.tif 000004
【図３】
0003099239.tif 000005
【図４】
0003099239.tif 000006
(57)【要約】　　　（修正有）【課題】コードの断裂を効果的に防止し、低コストで安全性と効率を高める同軸電源コードの構造を提供する。【解決手段】電源コードを長時間使用しても断裂を引き起こしにくくするべく、同軸電源コードを外線層２２と内線層２４、並びに絶縁材質による内絶縁層２３と外絶縁層２１とより構成するが、該内絶縁層を該外線層と内線層との間に設け、該外絶縁層及び内絶縁層によって該外線層と内線層との隔離絶縁を行うことで該外線層及び内線層が相互に干渉し合ってショートを引き起こすのを防止し、該外線層においては数本の芯線より構成し、該内線層においては数本の線束によって構成し、また各該線束においては芯線によって構成されているものとする。【選択図】　　　　図４
0003099232.tif 000002
【実用新案登録請求の範囲】
【請求項１】
　主に外絶縁層，外線層，内絶縁層，内線層より構成される同軸電源コードの構造において、
　該内線層が数本の線束が相互に撚り合わされて構成されており、且つ各該線束は数本の芯線が相互に撚り合わされて構成されていることを特徴とする同軸電源コードの構造。
【請求項２】
　該外線層は線束が相互に撚り合わせられて構成されており、各該線束はまた数本の芯線が相互に撚り合わされて構成されていることを特徴とする請求項１記載の同軸電源コードの構造。
【考案の詳細な説明】
【技術分野】
【０００１】
　本考案は同軸電源コードの構造に係り、特に同軸電源コード内の内線層や外線層中の芯線を相互に撚り合わせるようにして数本の線束を形成し、該数本の線束を更に相互に撚り合わせるようにして内線層（或いは外線層）とし、該線束の設計によって長時間湾曲させてもコードに断裂が起こり難い同軸電源コードに構造に関わる。
【背景技術】
【０００２】
　図１に示すように、公知における同軸電源コードの構造においては、外絶縁層１１，外線層（外部導体）１２，内絶縁層１３，内線層（内部導体）１４により構成されているものがある。該内線層１４は数本の芯線１４１が相互に撚り合わされたように組み合わされている。
【考案の開示】
【考案が解決しようとする課題】
【０００３】
　上述のような公知における同軸電源コードの構造は既に多年に渡って活用されているが、その大きな欠点としてコードの断裂が挙げられる。上述のような公知における一般的な同軸電源コードにおけるベンディングテスト後の断裂率は30%以下となっており、該断裂率が高いほど同軸電源コード全体の抵抗に直接的影響が出やすく、これによって線材全体の温度の上昇を招くと同時に、安全性並びに効率が落ちるといった問題が出てくる。一般的にメーカは通常束数を上げることでコードの断裂率を下げるための対策としているが、この方法によるとコストが高くなってしまうというもう一つの問題を生むことになる。
　よって上述の欠点に鑑み、コストを上げずに断裂を効果的に防止し、安全性と使用上の効率を高めるべく本考案の同軸電源コードの構造を提供する。
【課題を解決するための手段】
【０００４】
　線束が電源コードを長時間使用しても断裂を引き起こしにくくするべく、同軸電源コードを外線層と内線層、並びに絶縁材質による内絶縁層と外絶縁層とより構成するが、該内絶縁層を該外線層と内線層との間に設け、該外絶縁層及び内絶縁層によって該外線層と内線層との隔離絶縁を行うことで該外線層及び内線層が相互に干渉し合ってショートを引き起こすのを防止し、該外線層においては数本の芯線より構成し、該内線層においては数本の線束によって構成し、また各該線束においては芯線によって構成されているものとする。
【考案の効果】
【０００５】
　本考案によると、同軸電源コードをその生産コストを上げずに断裂を効果的に防止し、安全性と使用上の効率を高める目的を達成することができた。
【考案を実施するための最良の形態】
【０００６】
　図２に示すように本考案の第一実施例では同軸電源コード２の前後両端がそれぞれ電源コードスリーブ３に連結されており、特に該同軸電源コード２が該電源連結スリーブ３と連結される個所である連結ポイントAは該同軸電源コード２において最も断裂の発生しやすい個所である。
【０００７】
　図３，４に示すように、該同軸電源コード２の構造は、主に外絶縁層２１，外線層２２，内絶縁層２３，内線層２４より構成される。該外絶縁層２１及び内絶縁層２３は絶縁材質によるものであり、該内絶縁層２３は該外線層２２及び該内線層２４の中間に設けられている。該内絶縁層２３及び外絶縁層２１の設置により、該内線層２４と外線層２２が被覆され、該外線層２２と内線層２４を隔離して絶縁することで該外線層２２及び内線層２４が相互に干渉し合ってショートを起こすのを防止する。また該外線層２２は主に数本の芯線より構成されており、該内線層２４は数本の線束２４１より構成される（該線束の数量においては、7つ以上が理想である）。各該線束２４１は数本の芯線２４１１より構成されており、該線束２４１によって該同軸電源コード２が長時間湾曲された状態にされても断裂を引き起こすのを防止し、該線束２４１の配列方式は、一本の該線束２４１を中心としてその他の該線束２４１を円形に配置する。また前述の中心となる該一本の線束２４１の芯線２４１１の数量を29本とするのが理想であり、前述の円形を呈して配列されたその他の各該線束２４１の芯線２４１１の数量は26本とするのが理想である。全ての該線束２４１が構成する該内線層２４の芯線２４１１の数量は185本が理想であり、該外線層２２の芯線の数量においては該外線層２４の芯線２４１１の数量と等しいものとする。
【０００８】
　図６に示すように、本考案の第二実施例では、該外絶縁層２１及び内絶縁層２３間の外線層２２は数本の線束２２１が相互に撚られるように組み合わされており、各該線束２２１においても数本の芯線が相互に撚られるように組み合わされて構成されたものとする。
【図面の簡単な説明】
【０００９】
【図１】公知の同軸電源コードにおける立体断面図。
【図２】公知の同軸電源コードの局部拡大図である
【図３】本考案における実施例を示す図である。
【図４】本考案における立体断面図である。
【図５】本考案における平面断面図である。
【図６】本考案における内線層の立体断面図である。
【図７】本考案における内線層の局部拡大図である。
【図８】本考案における実施例断面図を示す図である。
【符号の説明】
【００１０】
１　同軸電源線
１１　外絶縁層
１２　外線層
１３　内絶縁層
１４　内線層
１４１　芯線
２　同軸電源コード
２１　外絶縁層
２２　外線層
２２１　線束
２３　内絶縁層
２４　内線層
２４１　線束
２４１１　芯線
３　電源コードスリーブ
A  連結ポイント
【図１】
0003099232.tif 000003
【図２】
0003099232.tif 000004
【図３】
0003099232.tif 000005
【図４】
0003099232.tif 000006
【図５】
0003099232.tif 000007
【図６】
0003099232.tif 000008
【図７】
0003099232.tif 000009
【図８】
0003099232.tif 000010